(57)【要約】【課題】床衝撃音の遮断性能が良好となると共に、全体の高さを低くでき、制振周波数の調整を容易に行うことの可能な床支持吸振具、及び、床構造を提供する。【解決手段】支持パネル１５の上面の対向する２つの端部には、第２弾性部材２６が取り付けられる。第２弾性部材２６は、板バネで構成され、取付部２６Ａ、腕部２６Ｂ、及び、先端部２６Ｃを有している。第２弾性部材２６の凹部２６Ｄには、質量体４０が配置され、質量体４０は先端部２６Ｃに支持されている。【選択図】図３
2010203145.tif 000002
【特許請求の範囲】
【請求項１】
床スラブ上に配置され、弾性変形可能であって振動を減衰させる第１弾性部材と、
前記第１弾性部材上に支持され、前記床スラブとの間に間隔をもって配置される床材へ向かって立設され、前記床材を支持する支持部材と、
前記床材の下側に取り付けられて前記床スラブと近づく方向へ延出され、弾性変形可能な第２弾性部材と、
前記第２弾性部材の先端部に支持され前記第２弾性部材の弾性変形によって変位して振動を減衰させる質量体と、
を備えた床支持吸振具。
【請求項２】
前記支持部材と前記床材との間に、前記支持部材が取り付けられると共に前記床材を支持する受材が配置され、
前記第２弾性部材は、前記受材に取り付けられていること、を特徴とする請求項１に記載の床支持吸振具。
【請求項３】
前記第２弾性部材は、前記支持部材と離間した位置で前記床材の下面に取り付けられていること、を特徴とする請求項１に記載の床支持吸振具。
【請求項４】
床スラブと、
前記床スラブと間隔をもって配置される床材と、
請求項１〜３のいずれか１項に記載の床支持吸振具と、
を備えた床構造。
【発明の詳細な説明】
【技術分野】
【０００１】
本発明は、二重床の床材を支持する床支持吸振具、この床支持吸振具を用いた床構造に関する。
【背景技術】
【０００２】
床構造においては、床衝撃音の遮断性能を向上させるために、支持部材を介して床基盤上から所定の高さに床を設ける二重床構造とする場合がある。このような二重床構造では、例えば、特許文献１に記載のように、弾性体と質量体を用いて床からの振動を減衰させる技術が開示されている。
【０００３】
特許文献１に記載の床構造によれば、床からの振動を効果的に減衰させることができる。しかしながら、特許文献１の床支持具は、第１弾性部材と第２弾性部材とが直列に配置されているため、床支持具の高さが高くなり、低床への対応には限界がある。また、特許文献１の床支持具では、第１弾性部材、第２弾性部材、質量体、受け材、支持ボルトなどを組み付けた後に現場施工を行っているため、床の固有振動周波数にあわせて施工後に調整を行うことは難しい。
【先行技術文献】
【特許文献】
【０００４】
【特許文献１】特開２００７−０４００９３号公報
【発明の概要】
【発明が解決しようとする課題】
【０００５】
本発明は、上記事実を考慮してなされたものであり、床衝撃音の遮断性能が良好となると共に、全体の高さを低くでき、制振周波数の調整を容易に行うことの可能な床支持吸振具、及び、床構造を提供することを課題とする。
【課題を解決するための手段】
【０００６】
請求項１に記載する本発明の床支持吸振具は、床スラブ上に配置され、弾性変形可能であって振動を減衰させる第１弾性部材と、前記第１弾性部材上に支持され、前記床スラブとの間に間隔をもって配置される床材へ向かって立設され、前記床材を支持する支持部材と、前記床材の下側に取り付けられて前記床スラブと近づく方向へ延出され、弾性変形可能な第２弾性部材と、前記第２弾性部材の先端部に支持され前記第２弾性部材の弾性変形によって変位して振動を減衰させる質量体と、を備えている。
【０００７】
請求項１に記載する床支持吸振具によれば、床材に振動が加わった場合、この振動は、第２弾性部材へ伝わる。これによって、第２弾性部材が弾性変形して質量体が振動を吸収するように上下動することで、床材から床スラブへの振動を減衰する。減衰された振動は第１弾性部材によって減衰されて床スラブへ伝わるので、床衝撃音が良好に遮断される。
【０００８】
また、第２弾性部材は、床材の下側に取り付けられているので、第１弾性部材と直列配置する必要がなく、床支持吸振具の高さを低くすることができる。
【０００９】
また、質量体は、第２弾性部材の先端部に支持されているので、容易に質量体の重さを変えて、制振周波数の調整を行うことができる。
【００１０】
請求項２に記載する床支持吸振具は、前記支持部材と前記床材との間に、前記支持部材が取り付けられると共に前記床材を支持する受材が配置され、前記第２弾性部材は、前記受材に取り付けられていること、を特徴とする。
【００１１】
このように、受材で床材を受け、この受材に第２弾性部材を取り付けることにより、第２弾性部材を支持部材と接近した位置に配置でき、効果的に振動を減衰させることができる。
【００１２】
請求項３に記載する床支持吸振具は、前記第２弾性部材が、前記支持部材と離間した位置で前記床材の下面に取り付けられていること、を特徴とする。
【００１３】
このように、前記第２弾性部材を支持部材と離間した位置に配置することにより、第１弾性部材、支持部材と、第２弾性部材、質量体とを、容易に並列的に配置することができる。
【００１４】
請求項４に記載する床構造は、床スラブと、前記床スラブと間隔をもって配置される床材と、請求項１〜３のいずれか１項に記載の床支持吸振具と、を備えている。
【００１５】
本発明の床構造によれば、床衝撃音を良好に遮断することができると共に、全体の高さを低くでき、制振周波数の調整を容易に行うことができる。
【発明の効果】
【００１６】
以上説明したように、本発明の床支持吸振具、及び、床構造によれば、床衝撃音を良好に遮断することができると共に、全体の高さを低くでき、制振周波数の調整を容易に行うことができる。
【図面の簡単な説明】
【００１７】
【図１】第１実施形態に係る床構造及び床支持吸振具の縦断面を示す断面図である。
【図２】第１実施形態に係る床構造の下地パネル及び床支持動吸振器の配置を示す平面図である。
【図３】第１実施形態に係る床支持吸振具の断面図である。
【図４】第１実施形態の床支持吸振具の変形例の断面図である。
【図５】第１実施形態の床支持吸振具の変形例の断面図である。
【図６】第１実施形態の床支持吸振具の変形例の断面図である。
【図７】第１実施形態の床支持吸振具の変形例の断面図である。
【図８】第１実施形態の床支持吸振具の変形例の断面図である。
【図９】図８に示す床支持吸振具の下地パネルへの配置を示す平面図である。
【図１０】第２実施形態に係る床構造及び床支持吸振具の縦断面を示す断面図である。
【図１１】第２実施形態に係る床構造の下地パネル及び床支持動吸振器の配置を示す平面図である。
【図１２】第２実施形態に係る床支持吸振具の断面図である。
【図１３】第２実施形態の動吸振器の変形例の断面図である。
【図１４】第２実施形態に係る床支持吸振具の変形例の断面図である。
【図１５】図１４に示す床支持吸振具の下地パネルへの配置を示す平面図である。
【発明を実施するための形態】
【００１８】
［第１実施形態］
【００１９】
本発明における床支持吸振具、及び、この床支持吸振具が適用される床構造の実施形態を図面に基づき説明する。なお、図中の矢印ＵＰは床構造における上方向を示す。
【００２０】
図１に示される床構造１０は、主に集合住宅に用いられる二重床（乾式遮音二重床）の構造であり、上階で発せられて階下に伝播する床衝撃音（歩行音、物の落下音、子供の飛び跳ね等）を低減させるための構造である。
【００２１】
（床構造及び床支持吸振具の構成）
【００２２】
図１に示されるように、床構造１０は、躯体床となるコンクリート製の床スラブ１２と上床材１４との間に、所定の間隔で複数本並べられた床支持吸振具１６を介在させており、床支持吸振具１６の介在によって床スラブ１２と上床材１４との間に空間を形成して遮音効果を得る状態としている。
【００２３】
なお、本実施形態の上床材１４は、下地パネル１４Ａを備えると共に、下地パネル１４Ａ上に捨張材１４Ｂを設け、その上にさらに仕上げ材１４Ｃを設けた積層構造となっている。ここで、仕上げ材１４Ｃを除いた上床材１４（下地パネル１４Ａ及び捨張材１４Ｂ）、及び、床支持吸振具１６、が床下地材である。
【００２４】
なお、捨張材１４Ｂは、必ずしも必要ではなく、捨張材１４Ｂを除いた構成とすることもできる。
【００２５】
図２には、下地パネル１４Ａへの床支持吸振具１６の配置図が示されている。下地パネル１４Ａは、各々、所定間隔の隙間（以下「目地Ｍという」）が構成されるように敷設されている。目地Ｍは、下地パネル１４Ａ同士の接触による軋み音などを防止するために、１０ｍｍ〜２０ｍｍ程度の間隔とされている。床支持吸振具１６は、目地Ｍを跨ぐようにして配置されている。
【００２６】
図３に示されるように、床支持吸振具１６は、第１弾性部材としてのクッションゴム１８、支持部材としての支持ボルト２２、受材としての支持パネル１５、第２弾性部材２６、及び質量体４０を備えている。
【００２７】
クッションゴム１８は、床スラブ１２上に配置されている。クッションゴム１８は、円筒状とされており、上床材１４からの振動を減衰させるために、床スラブ１２上に支持されるものであり、弾性変形可能とされている。
【００２８】
クッションゴム１８上には、中間受け部としての中間受け部材２０を介して支持ボルト２２が直立状態で支持されている。中間受け部材２０は、円筒状とされて中間部にフランジ部２０Ａを備え、円筒部の一方側がクッションゴム１８の筒内側に挿入されると共にフランジ部２０Ａの下面（クッションゴム１８側へ向けられた面）がクッションゴム１８の上面（床スラブ１２側の面と反対側の面）に固着されている。中間受け部材２０の円筒部内周面には、雌ネジ部２０Ｂが形成され、この雌ネジ部２０Ｂには、支持ボルト２２の軸部に形成された雄ネジ部２２Ａが螺合される。これにより、中間受け部材２０が支持ボルト２２に一体化される。
【００２９】
下地パネル１４Ａの下側には、下地パネル１４Ａを支持するように支持パネル１５が配置されている。支持パネル１５は、下地パネル１４Ａの上面からねじ１５Ｎによりねじ止めされている。支持パネル１５は正方形板状とされ、中央部に調整孔１５Ａが構成されている。
【００３０】
支持ボルト２２は、クッションゴム１８と反対側、すなわち、床スラブ１２と反対方向へ延びて、パネル受け部材２４及び支持パネル１５を介して上床材１４を支持している。パネル受け部材２４は、円筒状の円筒部２４Ｂと、円筒部２４Ｂの一方の開口部から外側へ向けて突き出した鍔部２４Ａを備える。パネル受け部材２４の円筒部２４Ｂは、支持パネル１５の調整孔１５Ａ内に挿入されて固着され、鍔部２４Ａの上面（上床材１４側へ向けられた面）が支持パネル１５の下面（床スラブ１２と対向する側の面）に固着される。パネル受け部材２４の円筒部内周面には、雌ネジ部２４Ｃが形成され、この雌ネジ部２４Ｃには、支持ボルト２２の軸部に形成された雄ネジ部２２Ｂが螺合される。これらにより、上床材１４は、床スラブ１２との間に間隔をもって配置される。
【００３１】
支持ボルト２２の先端部には、マイナスドライバを差し込むための凹部２２Ｈが形成されており、上床材１４の下地パネル１４Ａに捨張材１４Ｂ、仕上げ材１４Ｃが敷設される前の状態において、マイナスドライバを支持ボルト２２の凹部２２Ｈに差し込んで支持ボルト２２を回転させることによって、床スラブ１２からの下地パネル１４Ａの高さを調節することができるようになっている。
【００３２】
支持パネル１５の上面の対向する２つの端部には、段部１５Ｄが構成されている。段部１５Ｄの各々には、第２弾性部材２６が取り付けられる。第２弾性部材２６は、板バネで構成され、取付部２６Ａ、腕部２６Ｂ、及び、先端部２６Ｃを有している。
【００３３】
取付部２６Ａは、第２弾性部材２６の一端部に形成され、支持パネル１５の段部１５Ｄに配置されている。取付部２６Ａは、ねじ２７により、支持パネル１５に固定されている。腕部２６Ｂは、取付部２６Ａと連続され、支持パネル１５の端部から斜め下方向（床スラブ１２と近づく方向）に延出されている。先端部２６Ｃは、腕部２６Ｂと連続され、斜め上方向に屈曲して凹部２６Ｄを構成している。凹部２６Ｄを挟んで両側には、鈎状の止め部２６Ｅが設けられている。
【００３４】
第２弾性部材２６の凹部２６Ｄには、質量体４０が配置され、質量体４０は先端部２６Ｃに支持されている。質量体４０の外形は、凹部２６Ｄに沿った形状とされており、質量体４０は、凹部２６Ｄに載置され、２つの止め部２６Ｅに引っ掛けて架け渡された取付バンド２８により上側が押さえられて、先端部２６Ｃに取り付けられている。
【００３５】
質量体４０としては、鉄などの金属塊、流体や固体粒子などを収容した容器、その他、質量を確保できるあらゆるものを用いることができる。
【００３６】
質量体４０は、第２弾性部材２６の弾性変形によって変位して上床材１４からの振動を減衰させるようになっており、第２弾性部材２６及び質量体４０は、上床材１４から床スラブ１２への振動に対して動吸振器として機能する。
【００３７】
（作用）
【００３８】
次に、上記の実施形態の作用を説明する。
【００３９】
上階で発せられた床衝撃音（例えば、歩行音等）の振動は、上床材１４から第２弾性部材２６へ伝わる。これによって、第２弾性部材２６が弾性変形し、質量体４０が振動を吸収するように上下動することで、振動を減衰させる。さらに、減衰された振動が支持ボルト２２を介してクッションゴム１８へ伝わる。減衰された振動は、さらにクッションゴム１８によって減衰されて床スラブ１２へ伝わる。このため、床衝撃音が良好に遮断される。
【００４０】
本実施形態によれば、第２弾性部材２６が床材の下側に取り付けられていて、クッションゴム１８と直列配置されていないので、床支持吸振具１６の高さを低くすることができる。
【００４１】
また、質量体４０は、第２弾性部材２６の先端部２６Ｃに支持されているので、設置後に容易に質量体４０の取り替えを行うことができる。したがって、設置後に、質量体４０の重さを変えるなどにより、容易に制振周波数の調整を行うことができる。
【００４２】
なお、本実施形態では、第２弾性部材２６を支持パネル１５の上面側の段部１５Ｄに取り付けたが、図４に示すように、第２弾性部材２６は支持パネル１５の下面側に取り付けてもよい。
【００４３】
また、第２弾性部材２６は支持パネル１５の一端のみに１つ取り付けてもよいし、３個以上取り付けてもよい。
【００４４】
また、本実施形態では、取付バンド２８を止め部２６Ｅに引っ掛けて質量体４０を押さえることにより先端部２６Ｃに質量体４０を取り付けたが、質量体４０の取り付けは、他の方法で行ってもよい。例えば、図５に示すように、第２弾性部材２６の中間部に孔２６Ｈを穿孔し、面ファスナー２９を巻回して取り付けることもできる。
【００４５】
また、本実施形態では、第２弾性部材２６を板バネで構成したが、第２弾性部材は板バネに限定されず、例えば、図６に示すように、ゴム板３６で構成することもできる。この場合においても、ゴム板３６の断面形状は、第２弾性部材２６と同様とし、第２弾性部材２６の取付部２６Ａ、腕部２６Ｂ、先端部２６Ｃに対応する部分を、各々、取付部３６Ａ、腕部３６Ｂ、先端部３６Ｃとすればよい。なお、ゴム板３６を用いる場合には、補強のために、帆布３７をゴム板３６内に埋め込んでおくことが好ましい。
【００４６】
また、本実施形態では、第２弾性部材２６が、２分割されて１つの支持パネル１５に支持されている例について説明したが、図７に示すように、２つの第２弾性部材２６が一体となった第２弾性部材４６としてもよい。この場合には、支持パネル１５に段部１５Ｄを構成せず、取付部２６Ａを支持パネル１５と下地パネル１４Ａとの間に挟み込んで、支持パネル１５用のねじ１５Ｎで第２弾性部材２６を取り付けることができる。
【００４７】
また、本実施形態では、支持パネル１５を介して上床材１４を支持したが、支持パネル１５は必ずしも必要ではなく、図８に示すように、支持パネル１５を省略し支持ボルト２２を直接下地パネル１４Ａに取り付け、第２弾性部材２６も直接下地パネル１４Ａに取り付けてもよい。この場合の床支持吸振具１６の配置は、図９に示すように、目地Ｍを跨がない位置、例えば、下地パネル１４Ａの中央部と四つの角の位置とすることができる。そして、下地パネル１４Ａには、調整孔１５Ａに対応する位置に、厚み方向に貫通された調整孔１４Ｈを構成する。
【００４８】
［第２実施形態］
【００４９】
次に、本発明の第２実施形態について説明する。本実施形態では、第１実施形態と同様の部分については同一の符号を付して、その詳細な説明は省略する。
【００５０】
図１０に示されるように、本実施形態の床構造６０は、躯体床となるコンクリート製の床スラブ１２と上床材１４との間に、所定の間隔で複数本並べられた床支持具６２及び動吸振器６４を介在させており、床支持具６２及び動吸振器６４の介在によって床スラブ１２と上床材１４との間に空間を形成して遮音効果を得る状態としている。本実施形態の床構造６０では、床支持具６２及び動吸振器６４により床支持吸振具６１が構成されている。
【００５１】
図１１には、下地パネル１４Ａと、床支持具６２及び動吸振器６４の配置図が示されている。床支持具６２は、目地Ｍを跨ぐようにして配置されている。動吸振器６４は、図１１（Ａ）に示すように、下地パネル１４Ａの短手方向の中央部で床支持具６２の中間部に所定間隔で配置してもよいし、図１１（Ｂ）に示すように、短手方向の両端部で床支持具６２の近傍に所定間隔で配置してもよい。
【００５２】
図１２に示すように、動吸振器６４は、第２弾性部材４６、及び、質量体４０を備えている。第２弾性部材４６は、板バネで構成され、取付部４６Ａ、腕部４６Ｂ、及び、先端部４６Ｃを有している。
【００５３】
取付部４６Ａは、第２弾性部材４６の中間部に形成され、下地パネル１４Ａにねじ１５Ｔにより固定されている。腕部４６Ｂは、取付部４６Ａの両端部の外側に連続され、下地パネル１４Ａから斜め下方向（床スラブ１２と近づく方向）に延出されている。先端部４６Ｃは、２つの腕部４６Ｂと各々連続され、斜め上方向に屈曲して凹部４６Ｄを構成している。凹部４６Ｄを挟んで両側には、鈎状の止め部２６Ｅが設けられている。
【００５４】
第２弾性部材４６の凹部４６Ｄには、質量体４０が配置され、質量体４０は先端部４６Ｃに支持されている。質量体４０の外形は、凹部４６Ｄに沿った形状とされており、質量体４０は、凹部４６Ｄに載置され、２つの止め部２６Ｅに引っ掛けて架け渡された取付バンド２８により上側が押さえられて、先端部４６Ｃに取り付けられている。
【００５５】
質量体４０は、第２弾性部材４６の弾性変形によって変位して上床材１４からの振動を減衰させるようになっており、第２弾性部材４６及び質量体４０は、上床材１４から床スラブ１２への振動に対して動吸振器として機能する。
【００５６】
床支持具６２は、支持パネル１５、クッションゴム１８、及び、支持ボルト２２を備えている。これらについては、第１実施形態と同様の形状である。
【００５７】
（作用）
【００５８】
次に、上記の実施形態の作用を説明する。
【００５９】
上階で発せられた床衝撃音（例えば、歩行音等）の振動は、上床材１４から、支持パネル１５、支持ボルト２２、中間受け部材２０を介してクッションゴム１８へ伝わり、クッションゴム１８で減衰されながら床スラブ１２へ伝わる。このとき、動吸振器６４の質量体４０が、第２弾性部材４６を介して上床材１４の振動を打ち消すように上下方向に振動する。これにより、クッションゴム１８へ伝わる振動が減衰され、上床材１４から床スラブ１２へ伝わる振動を低減させることができる。
【００６０】
本実施形態では、動吸振器６４が床支持具６２と分離して配置されているので、動吸振器６４が床支持具６２と直列的に配置されている場合と比較して、床支持吸振具６１の高さを低くすることができる。したがって、上床材１４の下面と床スラブ１２との間の距離が短い低床にも設置することができる。
【００６１】
なお、本実施形態では、１つの第２弾性部材４６に２つの質量体４０を取り付けたが、第２弾性部材４６の腕部４６Ｂ、先端部４６Ｃを、取付部４６Ａの一方側のみに形成し、１つの質量体４０のみを取り付ける構成とすることもできる。
【００６２】
また、本実施形態では、第２弾性部材４６を板バネで構成したが、第１実施形態と同様に、図１３に示すように、ゴム板４８で構成することもできる。この場合においても、ゴム板４８の断面形状は、第２弾性部材４６と同様とし、第２弾性部材４６の取付部４６Ａ、腕部４６Ｂ、先端部４６Ｃに対応する部分を、各々、取付部４８Ａ、腕部４８Ｂ、先端部４８Ｃとすればよい。そして、先端部４８Ｃの内側に凹部４８Ｄを構成し、凹部４８Ｄへ質量体４０を配置する。なお、ゴム板４８を用いる場合には、補強のために、帆布４９をゴム板４８内に埋め込んでおくことが好ましい。
【００６３】
また、本実施形態では、支持パネル１５を介して床支持具６２を下地パネル１４Ａに取り付けたが、図１４に示すように、支持パネル１５なしの構成とすることもできる。この場合には、図１４に示すように、下地パネル１４Ａに調整用の孔１４Ｈを構成し、パネル受け部材２４を孔１４Ｈに挿入して固着し、支持ボルト２２を取り付ければよい。
【００６４】
そして、支持パネル１５なしの場合には、図１５に示すように、床支持具６２を下地パネル１４Ａの中央部と四角に配置し、動吸振器６４を床支持具６２の中間部に配置することができる。
【００６５】
本実施形態によっても、質量体４０は、第２弾性部材４６の先端部４６Ｃに支持されているので、設置後に容易に質量体４０の取り替えを行うことができる。したがって、設置後に、質量体４０の重さを変えるなどにより、容易に制振周波数の調整を行うことができる。
【符号の説明】
【００６６】
１０   床構造
１２   床スラブ
１４   上床材
２２   支持ボルト
２６   第２弾性部材
２６Ａ 取付部
２６Ｂ 腕部
２６Ｃ 先端部
３６   ゴム板
３６Ａ 取付部
３６Ｂ 腕部
３６Ｃ 先端部
４０   質量体
４６   第２弾性部材
４６Ａ 取付部
４６Ｂ 腕部
４６Ｃ 先端部
４８   ゴム板
４８Ａ 取付部
４８Ｂ 腕部
４８Ｃ 先端部
６０   床構造
６１   床支持吸振具
６２   床支持具
６４   動吸振器
【図１】
2010203145.tif 000003
【図２】
2010203145.tif 000004
【図３】
2010203145.tif 000005
【図４】
2010203145.tif 000006
【図５】
2010203145.tif 000007
【図６】
2010203145.tif 000008
【図７】
2010203145.tif 000009
【図８】
2010203145.tif 000010
【図９】
2010203145.tif 000011
【図１０】
2010203145.tif 000012
【図１１】
2010203145.tif 000013
【図１２】
2010203145.tif 000014
【図１３】
2010203145.tif 000015
【図１４】
2010203145.tif 000016
【図１５】
2010203145.tif 000017